(57)【要約】【課題】顔認証システムを備えた情報処理装置において、操作者がサングラス、マスク、帽子などを着けたまま撮影をしてしまった場合など、操作者が登録されている本人であるのにかかわらず、認証が拒否されてしまうことがある。このため、ＭＦＰの操作作業の効率を悪化させてしまう可能性がある。【解決手段】撮影された顔画像を、上、中、下の３つの部位に分割して、部位毎に認証を行う。すべての部位で認証が成功したら、顔認証をＯＫとする。  また、３つの部位のうち、１つの部位で認証が失敗したとしても、他の２つの部位で認証が成功した場合は、即座に顔認証をＮＧとしない。この場合、認証に失敗した部位を明示して表示するとともに、操作者に顔画像を再度、撮影することを促す。【選択図】図８
2019168929.tif 000002
【特許請求の範囲】
【請求項１】
顔認証手段による判定に基づいて利用が許可される情報処理装置であって、
前記顔認証手段は、
Ｎ（Ｎは３以上の自然数）部位に分割された撮影顔画像と、Ｎ部位に分割された登録顔画像とを、分割された部位ごとに比較を行い、
Ｎ部位すべてで認証が成功した場合、撮影顔画像が登録顔画像に一致するという第１の判定を行い、
Ｍ（Ｍは、２以上、かつ、Ｎより小さい自然数）部位未満で認証が成功した場合、撮影顔画像が登録顔画像に一致しないという第２の判定を行い、
Ｍ以上、かつ、Ｎ−１以下の部位で認証が成功した場合、一部の部位が認証に失敗したという第３の判定を行う
ことを特徴とする情報処理装置。
【請求項２】
前記顔認証手段が前記第３の判定を行った場合、一部の部位が認証に失敗した旨の通知が表示手段に表示される
ことを特徴とする請求項１に記載の情報処理装置。
【請求項３】
前記通知に、前記撮影顔画像に関する情報が含まれる
ことを特徴とする請求項２に記載の情報処理装置。
【請求項４】
前記通知に含まれる前記撮影顔画像に関する情報において、認証に失敗した部位が明示される
ことを特徴とする請求項３に記載の情報処理装置。
【請求項５】
前記通知に認識スコアが含まれる
ことを特徴とする請求項３または４に記載の情報処理装置。
【請求項６】
前記顔認証手段が行う前記比較は、前記撮影顔画像および前記登録顔画像のそれぞれの分割された部位ごとの特徴量を抽出することにより行われる
ことを特徴とする請求項１から５のいずれか１項に記載の情報処理装置。
【請求項７】
前記Ｎが３であり、前記Mが２である
ことを特徴とする請求項１から６のいずれか１項に記載の情報処理装置。
【請求項８】
前記撮影顔画像および前記登録顔画像のそれぞれが、上、中、下の３部位に分割される
ことを特徴とする請求項７に記載の情報処理装置。
【請求項９】
前記情報処理装置が画像処理装置である
ことを特徴とする請求項１から８のいずれか１項に記載の情報処理装置。
【請求項１０】
前記顔認証手段が情報処理装置に備えられる
ことを特徴とする請求項１から９のいずれか１項に記載の情報処理装置。
【請求項１１】
撮影手段をさらに有し、
前記撮影手段により前記撮影顔画像が撮影される
ことを特徴とする請求項１から１０のいずれか１項に記載の情報処理装置。
【請求項１２】
記憶手段をさらに有し、
前記記憶手段に前記登録顔画像が記憶される
ことを特徴とする請求項１から１１のいずれか１項に記載の情報処理装置。
【請求項１３】
前記記憶手段に、前記撮影顔画像が記憶される
ことを特徴とする請求項１２項に記載の情報処理装置。
【請求項１４】
入力手段をさらに有し、
前記入力手段において操作者の個人認証情報を入力することができる
ことを特徴とする請求項１２または１３のいずれか１項に記載の情報処理装置。
【請求項１５】
前記個人認証情報が、パスワード、または、ＩＤカードに記録されたＩＤ情報である
ことを特徴とする請求項１４に記載の情報処理装置。
【請求項１６】
前記個人認証情報に基づいて、前記記憶手段に記憶された前記登録顔画像の中から、１の前記登録顔画像が抽出される
ことを特徴とする請求項１４または１５のいずれか１項に記載の情報処理装置。
【請求項１７】
顔認証工程による判定に基づいて利用が許可される情報処理装置における認証方法であって、
前記顔認証工程は、
Ｎ（Ｎは３以上の自然数）部位に分割された撮影顔画像と、Ｎ部位に分割された登録顔画像とを、分割された部位ごとに比較を行う工程と、
Ｎ部位すべてで認証が成功した場合、撮影顔画像が登録顔画像に一致するという第１の判定を行い、
Ｍ（Ｍは、２以上、かつ、Ｎより小さい自然数）部位未満で認証が成功した場合、撮影顔画像が登録顔画像に一致しないという第２の判定を行い、
Ｍ以上、かつ、Ｎ−１以下の部位で認証が成功した場合、一部の部位が認証に失敗したという第３の判定を行う工程と、
を有することを特徴とする情報処理装置における認証方法。
【請求項１８】
請求項１７に記載された情報処理装置における顔認証方法をコンピュータにより実行させるためのプログラム。
【発明の詳細な説明】
【技術分野】
【０００１】
本発明は、顔認証システムを備えた情報処理装置に関するものである。
【背景技術】
【０００２】
従来から、顔認証によるユーザーの認証機能を備えた複合機（ＭＦＰ：MultiFunction Peripheral）がある。そこでは、ＭＦＰの前に立った操作者の顔を撮影して、その顔画像を予め登録してある顔画像と照合することにより、操作者を認証するか否かを判定する顔認証システムが用いられている。
顔画像同士を照合する際には、撮影した顔画像の対象領域の画像を抽出した撮影顔画像対象抽出部と、予め登録してある顔画像より対象抽出部に対応した領域を抽出した登録顔画像対象抽出部とを、照合部において照合して、判定する。
【０００３】
また、特許文献１には、顔の領域を分割して、分割した各領域のうち、目を含む上位領域と、鼻と口を含む下位領域において、目、鼻、口が正常か、あるいは、サングラスやマスクで部分的に顔が隠されている状態かを判別する。そして、部分的に顔が隠されていると判定した場合には、警告メッセージを送信する。この警告が複数回続いたら、認証を拒否する。
【先行技術文献】
【特許文献】
【０００４】
【特許文献１】特開２００４−１５８０１３号公報
【発明の概要】
【発明が解決しようとする課題】
【０００５】
顔認証システムにおいては、撮影された被認識者の顔の一部が隠れてしまい、認証をすることができないという問題が発生することがある。
この要因として考えられるのが、１つは、他人が悪意をもって、被認証者になりすまそうとして、顔の一部を隠す場合である。その他には、登録されている本人が認証を試みながら、サングラス、マスク、帽子などを着けたまま撮影をしてしまったり、メガネが反射をしたりして、顔の一部の認識ができなくなってしまった場合、などがある。
【０００６】
例えば、特許文献１では、他人がなりすましで顔の一部を隠そうとしている場合と、本人自身が認証を試みているにかかわらず、顔の一部の撮影の状態が悪いため、認証することができない場合とを、区別をしていない。そして、両方の場合において、顔の一部が隠れた状態であると判定して、複数回の警告を行うことにより、認証を拒否している。
このため、登録されている本人が認証を試みている場合には、ＭＦＰの操作作業の効率を悪化させてしまう可能性がある。
【課題を解決するための手段】
【０００７】
本発明は、顔認証手段による判定に基づいて利用が許可される情報処理装置であって、前記顔認証手段は、Ｎ（Ｎは３以上の自然数）部位に分割された撮影顔画像と、Ｎ部位に分割された登録顔画像とを、分割された部位ごとに比較を行い、Ｎ部位すべてで認証が成功した場合、撮影顔画像が登録顔画像に一致するという第１の判定を行い、Ｍ（Ｍは、２以上、かつ、Ｎより小さい自然数）部位未満で認証が成功した場合、撮影顔画像が登録顔画像に一致しないという第２の判定を行い、Ｍ以上、かつ、Ｎ−１以下の部位で認証が成功した場合、一部の部位が認証に失敗したという第３の判定を行うことを特徴とする。
【発明の効果】
【０００８】
本発明によれば、分割した顔画像のうち、一部の部位で認証が失敗したとしても、即座に顔認証をＮＧとすることなく、操作者に顔画像を再度、撮影することを促すことができる。このため、操作者が登録されている本人である場合に、認証手続きの効率を向上させることができる。
【図面の簡単な説明】
【０００９】
【図１】ＭＦＰの外観である。
【図２】ＭＦＰのハードウェア構成を示すブロック図である。
【図３】コントローラの機能構成を示すブロック図である。
【図４】操作部のハードウェア構成を示すブロック図である。
【図５】ＭＦＰの全体的な動作を示すフローチャートである。
【図６】顔認証処理の詳細を示すフローチャートである。
【図７】顔認証に失敗する例である。
【図８】顔認証後の、操作部上の表示例である。
【発明を実施するための形態】
【００１０】
以下、各図面を用いて、本発明の実施例について説明する。
図１は、本発明の情報処理装置の一例である画像形成装置の全体図である。図１（ａ）は、画像形成装置を正面から見た図である。図１（ｂ）は、画像形成装置を上面から見た図である。
【００１１】
本実施例において、画像形成装置はＭＦＰである。ＭＦＰ１００は、操作部２０６、読み取り部２０４、給紙カセット１０４、ＡＤＦ１０９などから構成される。ＭＦＰ１００は、コピー、プリント、ファックス、スキャンなどの機能を実行することができる。
ＭＦＰ１００は、通常電力モードと、通常電力モードよりも消費電力が小さい省電力モードと、を切り替えて動作することができる。
また、ＭＦＰ１００には、顔認証を行うために、操作者を撮影するカメラ２０２が配置される。
【００１２】
図２は、ＭＦＰ１００のハードウェア構成を示すブロック図である。
ＭＦＰ１００は、カメラ部２０２、コントローラ２０３、読取部２０４、印刷部２０５、操作部２０６、電源制御部２０７、ＨＤＤ２０９、などを備える。
カメラ部２０２は、認証者を撮影するために設けられる。そして、認証者の顔を撮影して、顔画像のデータをコントローラ２０３へ送る。
【００１３】
コントローラ２０３は、ＭＦＰ１００全体の制御を行う。
読取部２０４は、画像形成装置に投入された紙原稿の読み取りを行う。
印刷部２０５は、出力紙への印刷を行う。
操作部２０６は、操作者が操作を行うためのインターフェースであり、表示部などからなる。
電源制御部２０７は、図示しないスリープ復帰センサからの入力により、カメラ２０２、コントローラ２０３、読取部２０４、印刷部２０５、操作部２０６への電源供給を制御する。
ＨＤＤ（Hard Disk Drive）２０９は、各種のデータを格納する記憶装置である。
【００１４】
図３は、コントローラ２０３の機能構成を示すブロック図である。
コントローラ２０３は、ＭＦＰ制御部３０１、読取画像処理部３０２、読取制御信号Ｉ／Ｆ部３０３、印刷画像処理部３０４、印刷制御信号Ｉ／Ｆ部３０５、ＵＩ送受信データＩ／Ｆ部３０８、電源制御Ｉ／Ｆ部３０９、などを備える。
【００１５】
ＭＦＰ制御部３０１は、コントローラ２０３内の各部の制御を行う。また、ＭＦＰ制御部３０１は、いずれも図示しない、ＣＰＵ、ＲＯＭ、ＲＡＭ、などを含む。
読取画像処理部３０２は、読取部２０４で読み取られた画像の処理を行う。
読取制御信号Ｉ／Ｆ部３０３は、読取制御信号を用いて読取部２０４との通信を行うインターフェース部である。
【００１６】
印刷画像処理部３０４は、印刷部２０５で印刷する画像データの画像処理を行う。
印刷制御信号Ｉ／Ｆ部３０５は、印刷制御信号を用いて印刷部２０５との通信を行うインターフェースである。
ＵＩ送受信データＩ／Ｆ部３０８は、操作部２０６へ表示データを送信するインターフェースである。
電源制御Ｉ／Ｆ部３０９は、電源制御部２０７から制御信号を受けて、コントローラ２０３内の電源制御を行うインターフェースである。
【００１７】
本実施例における各種の設定および制御は、ＭＦＰ制御部３０１内の、図示しないＲＯＭに格納された、または、ＲＡＭに展開された、制御プログラムにしたがって、ＭＦＰ制御部３０１内のＣＰＵにより実行される。
【００１８】
図４は、操作部２０６のハードウェア構成を示すブロック図である。
操作部２０６は、コントローラＩ／Ｆ部４０１、ＵＩ制御部４０２、表示部４０３、キー入力部４０４、スピーカー部４０５、発光部４０６、メモリ４０７、顔認証部４０８、電源制御Ｉ／Ｆ部４０９、などを備える。
【００１９】
コントローラＩ／Ｆ部４０１は、コントローラ２０３との通信を行うインターフェースである。
ＵＩ制御部４０２は、表示部４０３などの、操作部２０６内の各部の制御を行う、ユーザーインターフェース制御部である。また、ＵＩ制御部４０２は、顔認証のために顔画像を上、中、下部に分割し、各部の特徴量を抽出する制御を行う。
表示部４０３は、文字や画像の表示、各種の設定を確認するためのパネルなどからなる表示部である。
【００２０】
キー入力部４０４は、ボタンやテンキーなどからなる入力部である。
スピーカー部４０５は、ブザー音を出力するスピーカーからなる。
発光部４０６は、ＬＥＤなどにより構成される。
メモリ４０７は、カメラ部２０２から送付されてくる、カメラ部２０２が撮影した顔画像のデータと、コントローラ２０３から送付されてくる、ＨＤＤ２０９に予め登録されている顔画像のデータとを、格納するメモリ部である。
顔認証部４０８は、顔撮影データと登録顔データを照合して、認証を行う認証部である。
電源制御Ｉ／Ｆ部４０９は、電源制御部２０７からの制御信号を受けて、操作部２０６内の電源制御を行うインターフェースである。
【００２１】
次に、顔認証処理について説明する。
図５は、ＭＦＰ１００の全体的な動作を示すフローチャートである。
本フローチャートに基づく処理は、ＭＦＰ制御部３０１内の、図示しないＲＯＭに格納された、または、ＲＡＭに展開された、制御プログラムにしたがって、ＭＦＰ制御部３０１内のＣＰＵにより実行される。
【００２２】
まず、ＭＦＰ１００に電源が入れられると、Ｓ５０１において操作者からの操作を待つ状態となる。
そして、Ｓ５０２において、操作者が、自身が登録されていることを認証させるために、ＩＤカードを読み込ませる。これにより、ＩＤカードに記録されているＩＤ情報が、操作者の個人認証情報として入力される。また、個人認証情報を入力するためには、パスワードを入力させるようにしてもよい。
操作者の個人認証情報が入力されると、Ｓ５０３において、カメラ２０２が操作者の顔を撮影する。そして、顔認証部４０８は、撮影された顔画像（以下、「撮影顔画像」とも言う）と、予め登録されている顔画像（以下、「登録顔画像」とも言う）とを照合して、顔認証処理を行う。顔認証処理の詳細については、図７で後述する。
【００２３】
Ｓ５０３の顔認証が成功すると、Ｓ５０４において、顔認証がＯＫとなる。
これにより、認証された操作者はＭＦＰの利用が許可される。
その後、Ｓ５０５において、操作者がジョブを実行する。
Ｓ５０６においてジョブが終了したと判断されると、本フローチャートは終了する。
【００２４】
一方、Ｓ５０３で顔認証が失敗した場合、Ｓ５０４において、顔認証はＮＧと判断される。そして、操作者にＭＦＰの利用を許可することなく、本フローチャートは終了する。
【００２５】
図６は、図５のフローチャートにおける顔認証処理（Ｓ５０３）の詳細を示すフローチャートである。
図５のＳ５０２で、操作者が、ＭＦＰの前に立ち、ＩＤカードを読み込ませる、または、パスワードを入力すると、Ｓ６０１において、カメラ２０２が操作者の顔を撮影する。
そして、カメラが撮影した顔画像データは、メモリ４０７に転送され、格納される。
次に、Ｓ６０２において、ＵＩ制御部４０２は、メモリ４０７に格納された撮影顔画像を、上、中、下部の３つの部位に３分割する。そして、部位毎の撮影顔画像データをメモリ４０７に格納するとともに、各部位の特徴量を抽出する。なお、特徴量を抽出する手法については、公知の技術であるため、ここでは説明を省略する。
【００２６】
Ｓ６０３において、ＭＦＰ制御部３０１は、Ｓ５０２で入力された個人認証情報を参照して、ＨＤＤ２０９に登録されている登録顔画像データを検索して、抽出する。
そして、Ｓ６０４において、抽出した登録顔画像を、上、中、下部の３つの部位に分割する。そして、部位毎の登録顔画像データをＨＤＤ２０９に格納するとともに、各部位の特徴量を抽出する。そして、分割された登録顔データを、ＵＩ送受信データＩ／Ｆ部３０８を介して、操作部２０６内のメモリ４０７に格納する。
これにより、上、中、下部の３つの部位に分割された撮影顔画像データと、上、中、下部の３つの部位に分割された登録顔画像データが、各部位毎にメモリ４０７に保存される。
【００２７】
そして、Ｓ６０５において、顔認証部４０８は、メモリ４０７から読み出された撮影顔画像データと登録顔画像データを用いて、３分割した、上、中、下部の部位毎に比較を行う。
この際、顔認証部４０８は、３つの部位に分割された撮影顔画像データのうちの上部の特徴量と、３つの部位に分割された登録顔画像データのうちの上部の特徴量と、を比較して、認識スコアを算出する。
同様に、撮影顔画像データの中部の特徴量と、登録顔画像データの中部の特徴量と、を比較して認識スコアを算出する。
また、撮影顔画像データの下部の特徴量と、登録顔画像での下部の特徴量と、を比較して認識スコアを算出する。
【００２８】
なお、認識スコアを算出する場合の画像データのパターンマッチング方法は、公知の技術であるため、ここでは説明を省略する。
認識スコアが一定の閾値を超える場合、顔認証部４０８は、認証が成功したと判断する。一方、一定の閾値を越えなければ、顔認証は失敗したと判断する。
そして、上、中、下部の部位毎に、顔認証が成功したか、あるいは、失敗したかを判断する。
【００２９】
Ｓ６０６において、撮影顔画像の上、中、下の３部位の認証がすべて成功したと判断すると、顔認証部４０８は、撮影顔画像が登録顔画像に一致したと判定する。
そして、Ｓ６０８において顔認証はＯＫとなり、顔認証を終了する。
Ｓ６０６で上、中、下の３部位の少なくとも１つの部位の認証が失敗すると、Ｓ６０７の処理に進む。
【００３０】
Ｓ６０７において、上、中、下の３部位の認証がすべて失敗と判断された場合、または、上、中、下の３部位のうち、２つの部位の認証が失敗と判断した場合、顔認証部４０８は、撮影顔画像と登録顔画像とは一致しないと判定する。すなわち、撮影顔画像は、入力された個人認証情報を有する者とは別人の顔画像であると判定する。そして、Ｓ６０９において顔認証はＮＧとなり、顔認証を終了する。
【００３１】
これに対して、Ｓ６０７において、上、中、下の３部位のうち、１つの部位で認証が失敗しても、他の２つの部位の認証が成功と判断された場合、即座に顔認証をＮＧとはしない。
なぜなら、この場合、操作者が登録されている者であるのにかかわらず、撮影時に、一部の部位が何かの原因により的確に撮影されていなかった可能性があると考えられるからである。
【００３２】
そこで、Ｓ６１０において、ＵＩ制御部４０２は、撮影顔画像の一部が認証に失敗した旨の通知を表示部４０３に表示する。
具体的には、認証に失敗した部位が明示されるように、撮影顔画像を表示部４０３に表示する。
これにより、操作者は、自身が予め登録されている者であれば、認証が失敗したと判断された部位の撮影が的確に行われなかったことに気づくことができる。この際、部位毎に算出された認識スコアを表示部４０３に表示させてもよい。
【００３３】
そして、Ｓ６１２において、操作者は、自身が予め登録されていることを認識していれば、Ｓ６０１に戻り、再度、顔認識を行うことができる。
これにより、予め登録されている操作者は、１部位において認証が失敗したとしても、認証に失敗した部位を認識した上で、撮影をし直すことにより、再度、顔認識を行うことができる。このため、再度の顔認識の際には、すべての部位で認証が成功して、顔認証がＯＫとなる可能性が高くなる。
【００３４】
なお、図６のフローチャートにおいては、顔認証を行う際に、登録顔画像および撮影顔画像を、それぞれ、上、中、下部の３部位に分割した。しかし、分割数は３に限られるものではなく、Ｎ（３以上の自然数）部位に分割してもよい。
この場合、Ｎ部位のすべてについて認証が成功すれば、撮影顔画像は予め登録されている者のものであると判定して、ＭＦＰの利用を許可する。
【００３５】
また、Ｎ部位のすべてについて認証が成功しなくても、Ｍ（２以上、かつ、Ｎより小さい自然数）部位について認証が成功すれば（すなわち、Ｍ以上、かつ、Ｎ−１以下の部位で認証が成功すれば）、即座に顔認証をＮＧとすることとしない。そして、認証に失敗した部位が明示されるように撮影顔画像を表示部に表示する。そして、操作者に、再度、顔画像を撮影するように促す。
例えば、登録顔画像および撮影顔画像を、それぞれ、４つの部位に分割し、３つの部位のみについて認証が成功した場合、撮影顔画像を表示した上で、再度、操作者に顔認識を行うように促す。
認証に成功したのがＭ部位未満であった場合は、撮影顔画像は予め登録されている者のものではないと判定して、ＭＦＰの利用を拒否する。
【００３６】
図７を用いて、顔認証を行った操作者が登録されているのにかかわらず、顔画像の１部位の認証の失敗により、認証がＯＫにならない例を説明する。
図７（ａ）は、登録されている顔画像の例を示している。登録顔画像は、全体的に隠れた箇所がない状態での顔画像が登録されている。
【００３７】
これに対して、図７（ｂ）から（ｄ）は、撮影された顔画像の例である。
図７（ｂ）の撮影顔画像は、髪の毛が帽子によって隠されている。これは、顔の上部で認証が失敗する例である。
図７（ｃ）の撮影顔画像は、目がサングラスよって隠されている。これは、顔の中部で認証が失敗する例である。
図７（ｄ）の撮影顔画像は、口がマスクによって隠されている。これは、顔の下部で認証が失敗する例である。
【００３８】
図７（ｂ）から（ｄ）のように、１部位で認証が失敗したとしても、他の２部位では認証が成功していれば、操作者が登録されている可能性は高い。
このため、上述の図７のフローチャートにおいては、Ｓ６０７において、このまま顔認証をＮＧとすることなく、Ｓ６１０の表示を行った後、Ｓ６０１に戻り、操作者に再度、顔画像を撮影する機会を与えることとする。
【００３９】
図８は、顔認証を行った結果を表示部４０３に表示するときの各種の例である。
図８（ａ）は、顔認証が成功したときの表示例である。
この場合、顔認証が成功した旨とともに、操作者にジョブの実行を許可するため、画面が操作メニューに移行することを表示する。
図８（ｂ）は、顔認証が失敗したときの表示例である。
この場合、顔認証が失敗した旨とともに、ログインメニュー画面（図８（ｆ））に戻ることを表示する。
【００４０】
図８（ｃ）は、顔の上部のみについて顔認証が失敗したときの表示例である。
この場合、一部の顔認証が失敗した旨を表示する。また、認証が失敗したした部位（上部）が明示されるように、登録されている顔画像とともに、撮影した顔画像を表示する。
図８（ｄ）は、顔の中部のみについて顔認証が失敗したときの表示例である。
この場合も、一部の顔認証が失敗した旨を表示する。また、認証が失敗したした部位（中部）が明示されるように、登録されている顔画像とともに、撮影した顔画像を表示する。
図８（ｅ）は、顔の下部のみについて顔認証が失敗したときの表示例である。
この場合も、一部の顔認証が失敗した旨を表示する。また、認証が失敗したした部位（下部）が明示されるように、登録されている顔画像とともに、撮影した顔画像を表示する。
図８（ｆ）は、認証が失敗したときに戻る、個人認証情報を入力するためのログインメニュー画面の一例である。
【００４１】
以上のとおり、操作者が、登録されているのにかかわらず、サングラス、マスク、帽子などを着けたまま撮影をしてしまった場合など、１つの部位で認証が失敗したとしても、他の２つの部位で認証が成功した場合は、即座に顔認証をＮＧとしない。そして、認証に失敗した部位を明示して表示することにより、操作者に顔画像を再度、撮影することを促すことができる。これにより、登録されている操作者に対して、ＭＦＰの認証手続きにおける操作を効率化することができる。
一方で、登録されていない別人が、登録者になりすまそうと試みた場合は、ＭＦＰの利用を確実に拒否することができる。
【００４２】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
また、本発明は、複数の機器から構成されるシステムに適用しても、１つの機器からなる装置に適用してもよい。
本発明は上述の実施例に限定されるものではなく、本発明の趣旨に基づき種々の変形が可能であり、それらを本発明の範囲から除外するものではない。すなわち、上述の実施例及びその変形例を組み合わせた構成も全て本発明に含まれるものである。
【符号の説明】
【００４３】
１００      ＭＦＰ
２０３      コントローラ
２０２      カメラ部
２０６      操作部
４０３      表示部
【図１】
2019168929.tif 000003
【図２】
2019168929.tif 000004
【図３】
2019168929.tif 000005
【図４】
2019168929.tif 000006
【図５】
2019168929.tif 000007
【図６】
2019168929.tif 000008
【図７】
2019168929.tif 000009
【図８】
2019168929.tif 000010